(57)【要約】  【課題】  使用性を向上できる冷蔵庫を提供する。  【解決手段】  一端を枢支した回動自在の開閉扉３ａにより、下段に配された野菜室３の前面を開閉する冷蔵庫１において、上面を開口して長尺野菜を収納する縦長の収納ポケット１０を野菜室３に面して開閉扉３ａに設け、収納ポケット１０は開閉扉３ａの枢支軸から離れた側の側壁１０ａが上方へ行くほど開閉扉３ａの枢支軸から離れる方向に５〜４５度傾斜した。【選択図】      図３
2006266623.tif 000002
【特許請求の範囲】
【請求項１】
一端を枢支した回動自在の扉により貯蔵室の前面を開閉する冷蔵庫において、上面を開口して貯蔵物を収納する縦長の収納ポケットを前記貯蔵室に面して前記扉に設け、前記収納ポケットは前記扉の枢支軸から離れた側の側壁が上方へ行くほど前記扉の枢支軸から離れる方向に傾斜したことを特徴とする冷蔵庫。
【請求項２】
前記貯蔵室は野菜を貯蔵する野菜室から成り、前記野菜室の上方に他の貯蔵室を設けたことを特徴とする請求項１に記載の冷蔵庫。
【請求項３】
前記収納ポケットよりも高さの低い補助収納ポケットを前記収納ポケットに隣接して設けたことを特徴とする請求項１または請求項２に記載の冷蔵庫。
【請求項４】
前記側壁の傾斜角度を５〜４５度にしたことを特徴とする請求項１〜請求項３のいずれかに記載の冷蔵庫。
【請求項５】
前記収納ポケットの前壁を上方へ行くほど前記扉から離れる方向に傾斜したことを特徴とする請求項１〜請求項４のいずれかに記載の冷蔵庫。
【請求項６】
前記前壁の傾斜角度を５〜４５度にしたことを特徴とする請求項５に記載の冷蔵庫。
【請求項７】
一端を枢支した回動自在の扉により貯蔵室の前面を開閉する冷蔵庫において、上面を開口して貯蔵物を収納する縦長の収納ポケットを前記貯蔵室に面して前記扉に設け、前記収納ポケットの前壁を上方へ行くほど前記扉から離れる方向に傾斜したことを特徴とする冷蔵庫。
【請求項８】
前記前壁の傾斜角度を５〜４５度にしたことを特徴とする請求項７に記載の冷蔵庫。
【発明の詳細な説明】
【技術分野】
【０００１】
本発明は、扉に収納ポケットを有した冷蔵庫に関する。
【背景技術】
【０００２】
従来の冷蔵庫は特許文献１に開示されている。この冷蔵庫は上段には冷蔵室が配され、下段には野菜室と冷凍室が左右に並設されている。野菜室の前面を開閉する扉には、野菜室内に面して収納ポケットが設けられる。収納ポケットは上面を開口して縦長に形成され、セロリやネギ等の長尺な長尺野菜を立てたまま収納することができる。これにより、長尺野菜を生育時と同じ状態で収納してアミノ酸や糖分の分解を抑制し、長期間鮮度を保持することができる。
【特許文献１】特開２００３−５６９７７号公報（第２頁−第４頁、第４図）
【発明の開示】
【発明が解決しようとする課題】
【０００３】
しかしながら、上記従来の冷蔵庫によると、収納ポケットには上面の開口部を介して長尺野菜が出し入れされる。このため、長尺野菜を取り出す際に上方へ引き出す距離が長く、使用性が悪い問題があった。
【０００４】
本発明は、使用性を向上できる冷蔵庫を提供することを目的とする。
【課題を解決するための手段】
【０００５】
上記目的を達成するために本発明は、一端を枢支した回動自在の扉により貯蔵室の前面を開閉する冷蔵庫において、上面を開口して貯蔵物を収納する縦長の収納ポケットを前記貯蔵室に面して前記扉に設け、前記収納ポケットは前記扉の枢支軸から離れた側の側壁が上方へ行くほど前記扉の枢支軸から離れる方向に傾斜したことを特徴としている。
【０００６】
この構成によると、扉を閉じた際に貯蔵室内に配される収納ポケットが扉に設けられる。縦長の収納ポケットは扉の非枢支側の側壁が傾斜し、上面の開口部から挿入される長尺の貯蔵物は自重により該側壁に沿って収納される。貯蔵物は収納ポケットから斜め上方に引き出して取り出される。
【０００７】
また本発明は、上記構成の冷蔵庫において、前記貯蔵室は野菜を貯蔵する野菜室から成り、前記野菜室の上方に他の貯蔵室を設けたことを特徴としている。この構成によると、野菜室の上方に例えば冷蔵室が設けられ、使用者の手元よりも低い位置に配された収納ポケットにセロリ、ネギ、スイートコーン、アスパラガス、春菊等の長尺野菜が収納される。
【０００８】
また本発明は、上記構成の冷蔵庫において、前記収納ポケットよりも高さの低い補助収納ポケットを前記収納ポケットに隣接して設けたことを特徴としている。この構成によると、補助収納ポケットに小型の貯蔵物が収納される。
【０００９】
また本発明は、上記構成の冷蔵庫において、前記側壁の傾斜角度を５〜４５度にしたことを特徴としている。
【００１０】
また本発明は、上記構成の冷蔵庫において、前記収納ポケットの前壁を上方へ行くほど前記扉から離れる方向に傾斜したことを特徴としている。この構成によると、収納ポケットに収納される貯蔵物は扉から離れる方向に斜め上方に引き出して取り出される。
【００１１】
また本発明は、上記構成の冷蔵庫において、前記前壁の傾斜角度を５〜４５度にしたことを特徴としている。
【００１２】
また本発明は、一端を枢支した回動自在の扉により貯蔵室の前面を開閉する冷蔵庫において、上面を開口して貯蔵物を収納する縦長の収納ポケットを前記貯蔵室に面して前記扉に設け、前記収納ポケットの前壁を上方へ行くほど前記扉から離れる方向に傾斜したことを特徴としている。
【００１３】
また本発明は、上記構成の冷蔵庫において、前記前壁の傾斜角度を５〜４５度にしたことを特徴としている。
【発明の効果】
【００１４】
本発明によると、扉に設けられる縦長の収納ポケットの側壁を傾斜したので、長尺の貯蔵物を収納ポケットの上面の開口部から斜め上方に引き出して容易に取り出すことができる。また、貯蔵物を斜め上方から容易に収納ポケットに収納することができる。従って、冷蔵庫の使用性が向上する。
【００１５】
また本発明によると、貯蔵室は野菜を貯蔵する野菜室から成り、野菜室の上方に他の貯蔵室を設けたので、セロリ、ネギ、スイートコーン、アスパラガス、春菊等の長尺野菜を立てたまま収納ポケットに収納して長尺野菜の鮮度を長期間保持することができる。また、使用者の手元よりも低い位置から長尺野菜を容易に取り出すことができる。
【００１６】
また本発明によると、収納ポケットよりも高さの低い補助収納ポケットを収納ポケットに隣接して設けたので、小型の貯蔵物を補助収納ポケットに収納して冷蔵庫の使用性をより向上することができる。
【００１７】
また本発明によると、収納ポケットの側壁の傾斜角度を５〜４５度にしたので、貯蔵物を側壁に沿って傾斜して収納できるとともに、貯蔵物を立てた状態を簡単に維持できる。
【００１８】
また本発明によると、収納ポケットの前壁を上方へ行くほど扉から離れる方向に傾斜したので、長尺の貯蔵物を収納ポケットの上面の開口部から扉から離れる方向に斜め上方に引き出すことができる。従って、貯蔵物を容易に取り出すことができ、冷蔵庫の使用性が向上する。
【００１９】
また本発明によると、収納ポケットの前壁の傾斜角度を５〜４５度にしたので、貯蔵物を扉から離れる方向に斜め上方に引き出すことができるとともに、立てた状態を簡単に維持できる。
【発明を実施するための最良の形態】
【００２０】
以下に本発明の実施形態を図面を参照して説明する。図１は第１実施形態の冷蔵庫を示す斜視図である。冷蔵庫１は上段に冷蔵室２が配される。冷蔵庫１の下段は左側に野菜室３が配置され、右側に製氷室５及び冷凍室４が上下に並設されている。
【００２１】
図２は野菜室３の前面を開閉する開閉扉３ａを開いた状態を示している。開閉扉３ａは冷凍室４から離れた側に設けられた枢支軸（不図示）で枢支され、冷凍室４に近い側から開閉できる。開閉扉３ａの野菜室３内に面した内面側には貯蔵物を収納する収納ポケット１０が設けられる。
【００２２】
図４、図５は開閉扉３ａの内面側を示す正面図及び上面図である。収納ポケット１０の上面には貯蔵物を出し入れする開口部１０ｄが設けられる。収納ポケット１０は横幅Ｗよりも高さＨ１が長く形成され、セロリ、ネギ、スイートコーン、アスパラガス、春菊等の長尺の長尺野菜を立てたまま収納できる。これにより、長尺野菜を生育時と同じ状態で収納してアミノ酸や糖分の分解を抑制し、長期間鮮度を保持することができる。
【００２３】
収納ポケット１０の側壁１０ａ、１０ｂは上方へ行くほど開閉扉３ａの枢支軸から離れる方向に傾斜している。側壁１０ａ、１０ｂの傾斜角αは５〜４５度に形成されている。側壁１０ａを５度以上傾斜することにより、長尺野菜は自重によって開閉扉３ａの枢支軸から離れた側の側壁１０ａに沿って配置される。
【００２４】
これにより、長尺野菜を開口部１０ｄから斜め上方に引き出して容易に取り出すことができる。また、貯蔵物を斜め上方から容易に収納ポケット１０に収納することができる。従って、冷蔵庫１の使用性が向上する。傾斜角αは４５度以下にすることにより、長尺野菜を立てた状態を維持して鮮度を保持することができる。また、野菜室３が冷蔵室２の下段に設けられるため、使用者の手元よりも低い位置に収納ポケット１０が配される。これにより、長尺野菜を簡単に斜め上方に引き出すことができる。尚、開閉扉３ａの枢支軸に近い側の側壁１０ｂは傾斜しなくてもよい。
【００２５】
次に、図５、図６は第２実施形態の冷蔵庫の開閉扉３ａの内面側を示す正面図及び上面図である。説明の便宜上、前述の図１〜図４に示す第１実施形態と同一の部分は同一の符号を付している。本実施形態は、第１実施形態に対して収納ポケット１０の側方に補助収納ポケット１１が設けられる。その他の部分は第１実施形態と同一である。
【００２６】
補助収納ポケット１１は上面を開口して収納ポケット１０に隣接し、収納ポケット１０の高さＨ１（図３参照）よりも低い高さＨ２に形成されている。これにより、高さの低い小型の貯蔵物を補助収納ポケット１１に収納して冷蔵庫１の使用性をより向上することができる。また、補助収納ポケット１１は収納ポケット１０よりも開閉扉３ａの枢支軸側に設けられる。このため、収納ポケット１０の傾斜した側壁１０ｂの上方のスペースを有効に利用することができる。
【００２７】
次に、図７、図８、図９は第３実施形態の冷蔵庫の開閉扉３ａの内面側を示す正面図、側面図及び上面図である。説明の便宜上、前述の図１〜図４に示す第１実施形態と同一の部分は同一の符号を付している。本実施形態は、第１実施形態に対して収納ポケット１０の前壁１０ａが傾斜している。その他の部分は第１実施形態と同一である。
【００２８】
収納ポケット１０の前壁１０ｃは上方へ行くほど開閉扉３ａから離れる方向に傾斜し、傾斜角βは５〜４５度に形成されている。前壁１０ｃを５度以上傾斜することにより、長尺野菜を開口部１０ｄから開閉扉３ａから離れる方向にも斜め上方に引き出して更に容易に取り出すことができる。また、長尺野菜を斜め上方から収納ポケット１０に更に容易に収納することができる。従って、冷蔵庫１の使用性がより向上する。傾斜角βは４５度以下にすることにより、長尺野菜を立てた状態を維持して鮮度を保持することができる。
【００２９】
次に、図１０、図１１、図１２は第４実施形態の冷蔵庫の開閉扉３ａの内面側を示す正面図、側面図及び上面図である。説明の便宜上、前述の図５、図６に示す第２実施形態と同一の部分は同一の符号を付している。本実施形態は、第２実施形態に対して収納ポケット１０の前壁１０ａが傾斜している。その他の部分は第２実施形態と同一である。
【００３０】
前述の図７〜図９に示す第３実施形態と同様に、収納ポケット１０の前壁１０ｃは上方へ行くほど開閉扉３ａから離れる方向に傾斜し傾斜角βは５〜４５度に形成されている。これにより、長尺野菜を開口部１０ｄから開閉扉３ａから離れる方向にも斜め上方に引き出して更に容易に取り出すことができるとともに、斜め上方から更に容易に収納することができる。従って、冷蔵庫１の使用性がより向上する。傾斜角βは４５度以下にすることにより、長尺野菜を立てた状態を維持して鮮度を保持することができる。
【００３１】
次に、図１３、図１４、図１５は第５実施形態の冷蔵庫の開閉扉３ａの内面側を示す正面図、側面図及び上面図である。説明の便宜上、前述の図７〜図９に示す第３実施形態と同一の部分は同一の符号を付している。本実施形態は、第３実施形態に対して収納ポケット１０の側壁１０ａ、１０ｂを傾斜させずに前壁１０ｃのみを傾斜している。その他の部分は第３実施形態と同一である。
【００３２】
収納ポケット１０の前壁１０ｃは上方へ行くほど開閉扉３ａから離れる方向に傾斜し、傾斜角βは５〜４５度に形成されている。これにより、開口部１０ｄを介して長尺野菜を開閉扉３ａから離れる方向に斜め上方に引き出して容易に取り出すことができる。また、長尺野菜を収納ポケット１０に斜め上方から容易に収納することができる。従って、冷蔵庫１の使用性が向上する。傾斜角βは４５度以下にすることにより、長尺野菜を立てた状態を維持して鮮度を保持することができる。
【００３３】
第１〜第５実施形態において、収納ポケット１０を野菜室３の開閉扉３ａに設けているが冷蔵室２や冷凍室４等の他の貯蔵室の開閉扉に設けて縦長の貯蔵物を収納してもよい。
【産業上の利用可能性】
【００３４】
本発明は、扉の内側に収納ポケットを有する冷蔵庫に利用することができる。
【図面の簡単な説明】
【００３５】
【図１】本発明の第１実施形態の冷蔵庫を示す斜視図
【図２】本発明の第１実施形態の冷蔵庫の野菜室の扉を開いた状態を示す斜視図
【図３】本発明の第１実施形態の冷蔵庫の開閉扉の内面側を示す正面図
【図４】本発明の第１実施形態の冷蔵庫の開閉扉を示す上面図
【図５】本発明の第２実施形態の冷蔵庫の開閉扉の内面側を示す正面図
【図６】本発明の第２実施形態の冷蔵庫の開閉扉を示す上面図
【図７】本発明の第３実施形態の冷蔵庫の開閉扉を示す正面図
【図８】本発明の第３実施形態の冷蔵庫の開閉扉を示す側面図
【図９】本発明の第３実施形態の冷蔵庫の開閉扉を示す上面図
【図１０】本発明の第４実施形態の冷蔵庫の開閉扉の内面側を示す正面図
【図１１】本発明の第４実施形態の冷蔵庫の開閉扉を示す側面図
【図１２】本発明の第４実施形態の冷蔵庫の開閉扉を示す上面図
【図１３】本発明の第５実施形態の冷蔵庫の開閉扉の内面側を示す正面図
【図１４】本発明の第５実施形態の冷蔵庫の開閉扉を示す側面図
【図１５】本発明の第５実施形態の冷蔵庫の開閉扉を示す上面図
【符号の説明】
【００３６】
１    冷蔵庫
２    冷蔵室
３    野菜室
３ａ  開閉扉
４    冷凍室
５    製氷室
１０    収納ポケット
１０ａ、１０ｂ  側壁
１０ｃ  前壁
１０ｄ  開口部
１１    補助収納ポケット
【図１】
2006266623.tif 000003
【図２】
2006266623.tif 000004
【図３】
2006266623.tif 000005
【図４】
2006266623.tif 000006
【図５】
2006266623.tif 000007
【図６】
2006266623.tif 000008
【図７】
2006266623.tif 000009
【図８】
2006266623.tif 000010
【図９】
2006266623.tif 000011
【図１０】
2006266623.tif 000012
【図１１】
2006266623.tif 000013
【図１２】
2006266623.tif 000014
【図１３】
2006266623.tif 000015
【図１４】
2006266623.tif 000016
【図１５】
2006266623.tif 000017